(57)【要約】【課題】所定エリアの毛髪を容易に所望の割合で取り分けることができる、櫛を提供する。【解決手段】櫛１０は、櫛本体１２と、間隔をあけて櫛本体１２に設けられる複数の第１櫛歯部１４と、隣り合う第１櫛歯部１４の間において櫛本体１２に設けられる第２櫛歯部１６とを備える。第１櫛歯部１４は、櫛本体１２側の第１基部１８および第１基部１８とは反対側の第１先端部２０を有し、かつ第１基部１８から第１先端部２０まで直線状に延びる。第２櫛歯部１６は、櫛本体１２側の第２基部２２および第２基部２２とは反対側の第２先端部２４を有し、かつ第２基部２２側に戻る戻り部２６を有するように第２基部２２から第２先端部２４までフック状に延びる。第１櫛歯部１４および第２櫛歯部１６は、交互に配置されてもよく、第１櫛歯部１４、第１櫛歯部１４および第２櫛歯部１６の順で配置されてもよい。【選択図】図１
2015211770.tif 000002
【特許請求の範囲】
【請求項１】
櫛本体と、
間隔をあけて前記櫛本体に設けられる複数の第１櫛歯部と、
隣り合う前記第１櫛歯部の間において前記櫛本体に設けられる第２櫛歯部とを備え、
前記第１櫛歯部は、前記櫛本体側の第１基部および前記第１基部とは反対側の第１先端部を有し、かつ前記第１基部から前記第１先端部まで延び、
前記第２櫛歯部は、前記櫛本体側の第２基部および前記第２基部とは反対側の第２先端部を有し、かつ前記第２基部側に戻る戻り部を有するように前記第２基部から前記第２先端部まで延びる、櫛。
【請求項２】
前記第１櫛歯部と前記第２櫛歯部とが交互に配置されるように前記第２櫛歯部を複数有し、
前記複数の第２櫛歯部のそれぞれの前記戻り部は、同方向を向いている、請求項１に記載の櫛。
【請求項３】
前記櫛本体の長手方向に前記第１櫛歯部、前記第１櫛歯部および前記第２櫛歯部の順で、前記第１櫛歯部および前記第２櫛歯部が配置される、請求項１に記載の櫛。
【請求項４】
前記第２櫛歯部はフック状に形成される、請求項１から３のいずれかに記載の櫛。
【請求項５】
前記第２櫛歯部はＪ字状に形成される、請求項４に記載の櫛。
【請求項６】
前記第１櫛歯部は直線状に形成される、請求項５に記載の櫛。
【発明の詳細な説明】
【技術分野】
【０００１】
この発明は櫛に関し、より特定的には、美容室や理容室においてウィービング施術時に用いられる櫛に関する。
【背景技術】
【０００２】
この種の従来技術の一例として、特許文献１において、カギ付き櫛歯部と、カギなし櫛歯部と、柄と、指で掴む部位とを有し、カギ付き櫛歯部の反対側にカギなし櫛歯部が設けられ、カギは柄とは逆方向を向いているウィービングコームが提案されている。
【先行技術文献】
【特許文献】
【０００３】
【特許文献１】特開２０１３−１５４１５２号公報
【発明の概要】
【発明が解決しようとする課題】
【０００４】
このウィービングコームをウィービング施術時に使用する場合、まず、頭部の所定エリアの毛髪を掴み、必要に応じてカギなし櫛歯部で毛髪を梳かし、カギ付き櫛歯部を毛髪に対して上方から差し込んだ後、カギ付き櫛歯部を毛髪から引き抜く方向に動かす。ここで、カギ付き櫛歯部を毛髪に対して差し込んだのち引き抜く前に、カギ付き櫛歯部が左右方向にずれると、カギ付き櫛歯部に保持される毛髪の割合が変化してしまう。したがって、このウィービングコームを用いて毛髪を所望の割合で取り分けることは困難である。
それゆえに、この発明の主たる目的は、所定エリアの毛髪を容易に所望の割合で取り分けることができる、櫛を提供することである。
【課題を解決するための手段】
【０００５】
上述の目的を達成するために、櫛本体と、間隔をあけて櫛本体に設けられる複数の第１櫛歯部と、隣り合う第１櫛歯部の間において櫛本体に設けられる第２櫛歯部とを備え、第１櫛歯部は、櫛本体側の第１基部および第１基部とは反対側の第１先端部を有し、かつ第１基部から第１先端部まで延び、第２櫛歯部は、櫛本体側の第２基部および第２基部とは反対側の第２先端部を有し、かつ第２基部側に戻る戻り部を有するように第２基部から第２先端部まで延びる、櫛が提供される。
【０００６】
この発明では、隣り合う第１櫛歯部の間に、戻り部を有する第２櫛歯部が設けられる。このような櫛をウィービング施術時に使用する場合、頭部の所定エリアの毛髪を掴み、櫛を毛髪に対して上方から差し込むと、毛髪は、第２櫛歯部と一方の第１櫛歯部（第２櫛歯部の戻り部に対向する第１櫛歯部）との間、および第２櫛歯部と他方の第１櫛歯部（第２櫛歯部の戻り部に対向しない第１櫛歯部）との間に分かれて挿入される。その後、第２櫛歯部と一方の第１櫛歯部との間にある毛髪が第２櫛歯部の第２基部側に寄るように、櫛を左右の一方向にずらせたのち、櫛を引き抜く方向に動かす。すると、第２櫛歯部と一方の第１櫛歯部との間にある毛髪は、第２櫛歯部の戻り部に保持されるが、第２櫛歯部と他方の第１櫛歯部との間にある毛髪は、櫛から離れる。このようにして、所定エリアの毛髪を容易に所望の割合で取り分けることができる。
【０００７】
好ましくは、第１櫛歯部と第２櫛歯部とが交互に配置されるように第２櫛歯部を複数有し、複数の第２櫛歯部のそれぞれの戻り部は、同方向を向いている。この場合、頭部の所定エリアの毛髪を掴み、櫛を毛髪に対して上方から差し込んだのち、第２櫛歯部と一方の第１櫛歯部（第２櫛歯部の戻り部に対向する第１櫛歯部）との間にある毛髪が第２櫛歯部の第２基部側に寄るように、櫛を左右の一方向にずらせたのち、櫛を引き抜く方向に動かすだけで、所望エリアの毛髪を容易かつ効率的に所望の割合で取り分けることができる。
【０００８】
また好ましくは、櫛本体の長手方向に第１櫛歯部、第１櫛歯部および第２櫛歯部の順で、第１櫛歯部および第２櫛歯部が配置される。この場合、第２櫛歯部の戻り部に対向する第１櫛歯部と第２櫛歯部の間にある毛髪だけが、第２櫛歯部によって保持され、それ以外の毛髪は櫛によって保持されずに櫛から離れる。すなわち、第２櫛歯部の戻り部に対向しない第１櫛歯部と第２櫛歯部との間にある毛髪だけではなく、隣り合わせに配置された第１櫛歯部間に挿入された毛髪も、櫛によって保持されずに櫛から離れる。これによって、毛髪を取り分ける割合を容易に調整できる。
【０００９】
さらに好ましくは、第２櫛歯部はフック状に形成される。この場合、第２櫛歯部の戻り部を簡単に形成でき、毛髪を容易に所望の割合で取り分けることができる。
【００１０】
好ましくは、第２櫛歯部はＪ字状に形成される。この場合、第２櫛歯部の戻り部をより簡単に形成でき、毛髪を容易に所望の割合で取り分けることができる。
【００１１】
また好ましくは、第１櫛歯部は直線状に形成される。この場合、第１櫛歯部を簡単に形成できる。
【発明の効果】
【００１２】
この発明によれば、所定エリアの毛髪を容易に所望の割合で取り分けることができる。
【図面の簡単な説明】
【００１３】
【図１】この発明の一実施形態の櫛を示す正面図である。
【図２】図１の実施形態における第１櫛歯部および第２櫛歯部の配列例を示す図である。
【図３】図１の櫛を用いて毛髪を取り分ける作業手順を示す図解図である。
【図４】図３の要部を示す拡大図であり、（ａ）は図３（ｂ）の要部を示し、（ｂ）は図３（ｃ）の要部を示し、（ｃ）は図３（ｄ）の要部を示す。
【図５】第１櫛歯部および第２櫛歯部の配列の他の例を示す図である。
【図６】この発明のその他の実施形態の櫛を示す正面図である。
【図７】第２櫛歯部の他の例を示す図である。
【発明を実施するための形態】
【００１４】
以下、この発明の実施形態について図面を参照して説明する。
図１を参照して、この発明の一実施形態の櫛１０は、テーツコームであり、櫛本体１２と、複数の第１櫛歯部１４と、複数の第２櫛歯部１６とを含む。複数の第１櫛歯部１４は、櫛本体１２の長手方向に間隔をあけて櫛本体１２に設けられる。複数の第２櫛歯部１６は、櫛本体１２の長手方向の中央部から一端部にかけて、隣り合う第１櫛歯部１４の間において櫛本体１２に設けられる。言い換えれば、櫛本体１２の長手方向の中央部から一端部にかけて、第１櫛歯部１４と第２櫛歯部１６とは交互に配置される。
【００１５】
第１櫛歯部１４は、櫛本体１２側の第１基部１８および第１基部１８とは反対側の第１先端部２０を有し、かつ第１基部１８側に戻る戻り部を有さないように第１基部１８から第１先端部２０まで直線状（Ｉ字状）に延びる。また、第２櫛歯部１６は、櫛本体１２側の第２基部２２および第２基部２２とは反対側の第２先端部２４を有し、かつ第２基部２２側に戻る戻り部２６を有するように第２基部２２から第２先端部２４まで延びる。複数の第２櫛歯部１６のそれぞれの戻り部２６は、同方向を向いている。第２櫛歯部１６はフック状に形成され、この実施形態では、第２櫛歯部１６はＪ字状に形成される。
【００１６】
図２を参照して、第２櫛歯部１６の一方側（戻り部２６と対向する側）の第１櫛歯部を１４ａ、第２櫛歯部１６の他方側（戻り部２６と対向しない側）の第１櫛歯部を１４ｂ、第１櫛歯部１４ａの最下部Ｐ１と第２櫛歯部１６の最下部Ｐ２との間隔をＨ１、第１櫛歯部１４ｂの最下部Ｐ３と第２櫛歯部１６の最下部Ｐ２との間隔をＨ２とすると、間隔Ｈ１とＨ２とによって、第１櫛歯部１４ａと第２櫛歯部１６との間に入る毛髪と、第１櫛歯部１４ｂと第２櫛歯部１６との間に入る毛髪との割合が概ね決定される。すなわち、隣り合う第１櫛歯部１４ａ，１４ｂ間に進入する毛髪のうち、第２櫛歯部１６によって保持される毛髪の割合が概ね決定される。したがって、間隔Ｈ１とＨ２とを調整することによって、隣り合う第１櫛歯部１４ａ，１４ｂ間に進入する毛髪のうち、第２櫛歯部１６によって保持される毛髪の割合を調整できる。
【００１７】
図３を参照して、櫛１０をウィービング施術時に使用する場合の作業手順について説明する。
【００１８】
まず、図３（ａ）に示すように、客の頭部の所定エリアの毛髪を掴み、図３（ｂ）の矢印Ａで示すように、櫛１０を毛髪に対して上方から差し込むと、毛髪は、第２櫛歯部１６と一方の第１櫛歯部１４（第２櫛歯部１６の戻り部２６と対向する第１櫛歯部１４）との間、および第２櫛歯部１６と他方の第１櫛歯部１４（第２櫛歯部１６の戻り部２６と対向しない第１櫛歯部１４）との間に分かれて挿入される（図４（ａ）参照）。ついで、図３（ｃ）の矢印Ｂで示すように、第２櫛歯部１６と一方の第１櫛歯部１４との間にある毛髪が第２櫛歯部１６の第２基部２２側に寄るように、櫛１０を左右の一方向にずらせる（図４（ｂ）参照）。このとき、第２櫛歯部１６と他方の第１櫛歯部１４との間にある毛髪は第１櫛歯部１４の第１基部１８側に寄る。その後、図３（ｄ）の矢印Ｃに示すように、櫛１０を引き抜く方向に動かす。すると、第２櫛歯部１６と一方の第１櫛歯部１４との間にある毛髪は、第２櫛歯部１６の戻り部２６に保持されるが、第２櫛歯部１６と他方の第１櫛歯部１４との間にある毛髪は、櫛１０から離れる（図４（ｃ）参照）。
【００１９】
このような櫛１０を用いれば、所定エリアの毛髪を容易に所望の割合で偏りなく取り分けることができる。
【００２０】
また、第１櫛歯部１４と第２櫛歯部１６とが交互に配置されるように櫛１０は第２櫛歯部１６を複数有し、複数の第２櫛歯部１６のそれぞれの戻り部２６は、同方向を向いている。したがって、頭部の所定エリアの毛髪を掴み、櫛１０を毛髪に対して上方から差し込んだのち、第２櫛歯部１６と一方の第１櫛歯部１４（第２櫛歯部１６の戻り部２６に対向する第１櫛歯部１４）との間にある毛髪が第２櫛歯部１６の第２基部２２側に寄るように、櫛１０を左右の一方向にずらせたのち、櫛１０を引き抜く方向に動かすだけで、所望エリアの毛髪を容易かつ効率的に所望の割合で取り分けることができる。
【００２１】
第２櫛歯部１６はフック状に形成されるので、第２櫛歯部１６の戻り部２６を簡単に形成でき、毛髪を容易に所望の割合で取り分けることができる。さらに、この実施形態では、第２櫛歯部１６はＪ字状に形成されるので、第２櫛歯部１６の戻り部２６をより簡単に形成でき、毛髪を容易に所望の割合で取り分けることができる。
【００２２】
さらに、第１櫛歯部１４は直線状に形成されるので、第１櫛歯部１４を簡単に形成できる。
【００２３】
ついで、第１櫛歯部１４および第２櫛歯部１６は、図５に示すように配列されてもよい。
【００２４】
図５を参照して、第２櫛歯部１６の一方側（戻り部２６と対向する側）の第１櫛歯部を１４ａ、第２櫛歯部１６の他方側（戻り部２６と対向しない側）の第１櫛歯部を１４ｂとすると、第１櫛歯部１４ａからみて第２櫛歯部１６とは反対側に位置に、第１櫛歯部１４ｂが設けられてもよい。すなわち櫛本体１２の長手方向に第１櫛歯部１４ｂ、第１櫛歯部１４ａおよび第２櫛歯部１６の順で、第１櫛歯部１４ａ，１４ｂおよび第２櫛歯部１６が配置されてもよい。
【００２５】
この場合において、第２櫛歯部１６の戻り部２６に対向する第１櫛歯部１４ａと第２櫛歯部１６の間にある毛髪だけが、第２櫛歯部１６によって保持され、それ以外の毛髪は櫛１０によって保持されずに櫛１０から離れる。すなわち、第２櫛歯部１６の戻り部２６に対向しない第１櫛歯部１４ｂと第２櫛歯部１６との間にある毛髪だけではなく、隣り合わせに配置された２つの第１櫛歯部１４ａ，１４ｂ間に挿入される毛髪も、櫛１０によって保持されずに櫛１０から離れる。これによって、毛髪を取り分ける割合を容易に調整できる。
【００２６】
図６を参照して、この発明の他の実施形態の櫛１０ａは、リングコームであり、櫛本体２８と櫛本体２８の端部から長手方向に延びる柄３０とを含む。櫛本体２８には、図１に示す櫛１０と同様、複数の第１櫛歯部１４と複数の第２櫛歯部１６とが交互に設けられる。櫛１０ａにおいても、櫛１０と同様の効果が得られる。
【００２７】
また、櫛１０ａにおいても、図５に示すように第１櫛歯部１４と第２櫛歯部１６とが配列されてもよい。
【００２８】
なお、この発明において、「フック状」とは、Ｊ字状のような湾曲した形状だけではなく、図７（ａ）に示す第２櫛歯部１６ａのように、先端部が鋭角状に折り返されてもよく、第２櫛歯部の第２先端部側から第２基部側に折り返される形状であれば、いかなる形状であってもよい。
【００２９】
また、「戻り部」は、第２櫛歯部の先端部に形成される場合に限定されず、図７（ｂ）に示す略Ｎ字状に形成された第２櫛歯部１６ｂの戻り部２６ｂのように、第２櫛歯部の第２基部と第２先端部との間に形成されてもよい。
【００３０】
さらに、第２櫛歯部は、図７（ｃ）に示す第２櫛歯部１６ｃのように、第１櫛歯部１４より短く形成されてもよく、図７（ｄ）に示す第２櫛歯部１６ｄのように、第１櫛歯部１４より長く形成されてもよい。
【符号の説明】
【００３１】
１０，１０ａ      櫛
１２，２８      櫛本体
１４，１４ａ，１４ｂ      第１櫛歯部
１６，１６ａ，１６ｂ，１６ｃ，１６ｄ      第２櫛歯部
１８      第１基部
２０      第１先端部
２２      第２基部
２４      第２先端部
２６，２６ｂ      戻り部
【図１】
2015211770.tif 000003
【図２】
2015211770.tif 000004
【図３】
2015211770.tif 000005
【図４】
2015211770.tif 000006
【図５】
2015211770.tif 000007
【図６】
2015211770.tif 000008
【図７】
2015211770.tif 000009